(57)【特許請求の範囲】
【請求項１】
複数の機能を有する医療用診療装置と、
前記医療用診療装置と通信可能な通信装置とを備え、
前記医療用診療装置は、前記複数の機能のそれぞれの設定が可能な第１操作部を含み、
前記通信装置は、前記複数の機能のうちの少なくとも１つの機能について前記第１操作部よりも詳細な設定が可能な第２操作部を含み、
前記複数の機能のうちの特定機能について、前記第２操作部による設定が規制されている、医療用診療システム。
【請求項２】
前記医療用診療装置は、当該医療用診療装置の位置および姿勢の少なくとも一方を変える可動部を含み、
前記特定機能は、前記可動部を駆動させるための機能である、請求項１に記載の医療用診療システム。
【請求項３】
前記医療用診療装置と前記通信装置とが通信状態でない場合、
前記第１操作部においては、前記複数の機能のそれぞれの設定が可能であり、
前記第２操作部においては、前記複数の機能のいずれの設定も規制され、
前記医療用診療装置と前記通信装置とが通信状態である場合、
前記第１操作部においては、前記複数の機能のうちの前記特定機能の設定が可能である一方で、前記複数の機能のうちの前記特定機能とは異なる他機能の設定が規制され、
前記第２操作部においては、前記他機能の設定が可能である一方で、前記特定機能の設定が規制されている、請求項１または２に記載の医療用診療システム。
【請求項４】
前記医療用診療装置は、前記第１操作部の視認性を変更する第１視認変更部を含み、
前記通信装置は、前記第２操作部の視認性を変更する第２視認変更部を含み、
前記医療用診療装置と前記通信装置とが通信状態において、
前記第１視認変更部は、前記複数の機能のうちの前記特定機能とは異なる他機能に対応する前記第１操作部の視認性を、前記特定機能に対応する前記第１操作部の視認性よりも低下させ、
前記第２視認変更部は、前記特定機能に対応する前記第２操作部の視認性を、前記他機能に対応する前記第２操作部の視認性よりも低下させる、請求項１〜３のいずれかに記載の医療用診療システム。
【請求項５】
前記通信装置は、
前記医療用診療装置と無線通信可能な携帯端末であり、
複数の前記医療用診療装置のうち、最も接近している前記医療用診療装置と通信状態になる、請求項１〜４のいずれかに記載の医療用診療システム。
【請求項６】
前記通信装置は、前記複数の機能のうちの前記特定機能とは異なる他機能についての設定データを記憶する記憶部を含み、
前記医療用診療装置と前記通信装置とが通信状態において、前記記憶部に記憶された前記設定データに基づき前記医療用診療装置において前記他機能が設定される、請求項１〜５のいずれかに記載の医療用診療システム。
【請求項７】
前記通信装置は、音声認証によってユーザを認証する音声認証部を含み、
前記記憶部は、前記設定データとユーザを特定可能な情報とを対応付けて記憶し、
前記医療用診療装置と前記通信装置とが通信状態において、前記音声認証部によって認証されたユーザに対応する前記設定データに基づき前記医療用診療装置において前記他機能が設定される、請求項６に記載の医療用診療システム。
【請求項８】
前記通信装置は、顔貌認証によってユーザを認証する顔貌認証部を含み、
前記記憶部は、前記設定データとユーザを特定可能な情報とを対応付けて記憶し、
前記医療用診療装置と前記通信装置とが通信状態において、前記顔貌認証部によって認証されたユーザに対応する前記設定データに基づき前記医療用診療装置において前記他機能が設定される、請求項６または７に記載の医療用診療システム。
【請求項９】
前記医療用診療装置は、前記通信装置を装着可能な装着部を含み、
前記装着部に前記通信装置が装着されたときに、前記医療用診療装置と前記通信装置とが通信状態になる、請求項１〜８のいずれかに記載の医療用診療システム。
【請求項１０】
前記通信装置は、前記医療用診療装置と前記通信装置とが通信状態において、前記医療用診療装置のプログラムおよびデータの少なくとも一方を更新させる、請求項１〜９のいずれかに記載の医療用診療システム。
【請求項１１】
請求項１〜１０のいずれかに記載の医療用診療装置。
【請求項１２】
請求項１〜１０のいずれかに記載の通信装置。
【請求項１３】
複数の機能を有する医療用診療装置の誤操作防止方法であって、
前記複数の機能のそれぞれの設定が可能な操作ステップと、
前記複数の機能のうちの少なくとも１つの機能について前記操作ステップよりも詳細な設定が可能な通信装置と通信する通信ステップと、
前記複数の機能のうちの特定機能について、前記通信装置による設定を規制する規制ステップとを有する、医療用診療装置の誤操作防止方法。
【発明の詳細な説明】
【技術分野】
【０００１】
本発明は、医療用診療システム、医療用診療装置、通信装置、および医療用診療装置の誤操作防止方法に関する。
【背景技術】
【０００２】
従来から、歯科や医科などの医療分野において診療を行うための医療用診療装置は、複数の機能のそれぞれの設定が可能な操作部を備えている。
【０００３】
たとえば、特許文献１に開示された歯科診療台は、診療椅子の位置を変更するためのスイッチ、診療椅子の姿勢を変更するためのスイッチ、およびその他の機能の設定を行うためのスイッチが配置された操作パネルを備えている。
【先行技術文献】
【特許文献】
【０００４】
【特許文献１】特開２０１０−２７３９１６号公報
【発明の概要】
【発明が解決しようとする課題】
【０００５】
特許文献１に開示された歯科診療台において、ユーザは、液晶画面を用いていない非液晶型の操作パネルを操作することによって各種の機能を設定することが可能である。このような操作パネルは、液晶画面に設けられたタッチパネルに比べると、歯科診療台の機能を詳細に設定する能力の点において劣る。液晶画面に設けられたタッチパネルは、画面の表示を切り替えながら、様々な操作を組み合わせることにより詳細な設定を可能にするからである。ところが、液晶画面およびタッチパネルは比較的高価であるため、歯科診療台の操作パネルを、液晶画面およびタッチパネルに置き換えると、歯科診療台のコストが高くなる。また、全てのユーザが機能を詳細に設定できる歯科診療台を望んでいるとは限らない。
【０００６】
そこで、タブレット型コンピュータのような、歯科診療台とは別の通信装置を用いて歯科診療台の機能を詳細に設定できるようにすることが考えられる。しかし、歯科診療台とは別の通信装置によって歯科診療台が有する全ての機能を詳細に設定できるようにしてしまうと、万一、通信装置が誤操作された場合、機能によっては円滑な診療行為を直接的に妨げる虞がある。
【０００７】
本発明は、上記の課題を解決するためになされたものであり、医療用診療装置のコストに極力影響を与えることなく医療用診療装置の機能を詳細に設定できるようにする一方で、通信装置の誤操作によって円滑な診療行為を直接的に妨げてしまうことを防止する、医療用診療システム、医療用診療装置、通信装置、および医療用診療装置の誤操作防止方法を提供することを目的とする。
【課題を解決するための手段】
【０００８】
本発明に係る医療用診療システムは、複数の機能を有する医療用診療装置と、医療用診療装置と通信可能な通信装置とを備える。医療用診療装置は、複数の機能のそれぞれの設定が可能な第１操作部を含む。通信装置は、複数の機能のうちの少なくとも１つの機能について第１操作部よりも詳細な設定が可能な第２操作部を含む。複数の機能のうちの特定機能について、第２操作部による設定が規制されている。
【０００９】
好ましくは、医療用診療装置は、当該医療用診療装置の位置および姿勢の少なくとも一方を変える可動部を含む。特定機能は、可動部を駆動させるための機能である。
【００１０】
好ましくは、医療用診療装置と通信装置とが通信状態でない場合、第１操作部においては、複数の機能のそれぞれの設定が可能であり、第２操作部においては、複数の機能のいずれの設定も規制される。医療用診療装置と通信装置とが通信状態である場合、第１操作部においては、複数の機能のうちの特定機能の設定が可能である一方で、複数の機能のうちの特定機能とは異なる他機能の設定が規制され、第２操作部においては、他機能の設定が可能である一方で、特定機能の設定が規制されている。
【００１１】
好ましくは、医療用診療装置は、第１操作部の視認性を変更する第１視認変更部を含む。通信装置は、第２操作部の視認性を変更する第２視認変更部を含む。医療用診療装置と通信装置とが通信状態において、第１視認変更部は、複数の機能のうちの特定機能とは異なる他機能に対応する第１操作部の視認性を、特定機能に対応する第１操作部の視認性よりも低下させ、第２視認変更部は、特定機能に対応する第２操作部の視認性を、他機能に対応する第２操作部の視認性よりも低下させる。
【００１２】
好ましくは、通信装置は、医療用診療装置と無線通信可能な携帯端末であり、複数の医療用診療装置のうち、最も接近している医療用診療装置と通信状態になる。
【００１３】
好ましくは、通信装置は、複数の機能のうちの特定機能とは異なる他機能についての設定データを記憶する記憶部を含む。医療用診療装置と通信装置とが通信状態において、記憶部に記憶された設定データに基づき医療用診療装置において他機能が設定される。
【００１４】
好ましくは、通信装置は、音声認証によってユーザを認証する音声認証部を含む。記憶部は、設定データとユーザを特定可能な情報とを対応付けて記憶する。医療用診療装置と通信装置とが通信状態において、音声認証部によって認証されたユーザに対応する設定データに基づき医療用診療装置において他機能が設定される。
【００１５】
好ましくは、通信装置は、顔貌認証によってユーザを認証する顔貌認証部を含む。記憶部は、設定データとユーザを特定可能な情報とを対応付けて記憶する。医療用診療装置と通信装置とが通信状態において、顔貌認証部によって認証されたユーザに対応する設定データに基づき医療用診療装置において他機能が設定される。
【００１６】
好ましくは、医療用診療装置は、通信装置を装着可能な装着部を含む。装着部に通信装置が装着されたときに、医療用診療装置と通信装置とが通信状態になる。
【００１７】
好ましくは、通信装置は、医療用診療装置と前記通信装置とが通信状態において、医療用診療装置のプログラムおよびデータの少なくとも一方を更新させる。
【００１８】
本発明に係る医療用診療装置は、上述したいずれかの医療用診療システムが備える医療用診療装置である。
【００１９】
本発明に係る通信装置は、上述したいずれかの医療用診療システムが備える通信装置である。
【００２０】
本発明に係る医療用診療装置の誤操作防止方法は、複数の機能のそれぞれの設定が可能な操作ステップと、複数の機能のうちの少なくとも１つの機能について操作ステップよりも詳細な設定が可能な通信装置と通信する通信ステップと、複数の機能のうちの特定機能について、通信装置による設定を規制する規制ステップとを有する。
【発明の効果】
【００２１】
本発明に係る医療用診療システムによれば、通信装置を用いることによって医療用診療装置の機能について詳細に設定できるようにする一方で、医療用診療装置の特定機能については通信装置による設定が規制される。このため、医療用診療装置のコストに極力影響を与えることなく医療用診療装置の機能を詳細に設定できるようにする一方で、通信装置の誤操作によって円滑な診療行為を直接的に妨げてしまうことを防止することができる。
【図面の簡単な説明】
【００２２】
【図１】医療用診療システムを示す概略図である。
【図２】診療装置の内部構成を概略的に示すブロック図である。
【図３】通信装置の内部構成を概略的に示すブロック図である。
【図４】診療装置が備える操作パネル上のアイコンを説明するための図である。
【図５】診療装置と通信装置とが非通信状態である場合における操作パネル上のアイコンの点灯状況および通信装置の画面表示について説明するための図である。
【図６】診療装置と通信装置とが通信状態である場合における操作パネル上のアイコンの点灯状況および通信装置の画面表示について説明するための図である。
【図７】通信装置が記憶する管理テーブルを説明するための図である。
【図８】通信装置が実行する通信処理を説明するためのフローチャートである。
【図９】通信装置が実行するデータ抽出処理を説明するためのフローチャートである。
【図１０】通信装置が実行する設定処理を説明するためのフローチャートである。
【図１１】診療装置が実行する設定処理を説明するためのフローチャートである。
【図１２】変形例における診療装置が実行する操作時設定処理を説明するためのフローチャートである。
【発明を実施するための形態】
【００２３】
本発明に係る実施の形態について、図面を参照しながら説明する。本実施の形態においては、医療用診療装置の１つの例示的形態として、歯科診療に用いることが可能な医療用診療装置について説明する。なお、本実施の形態に係る医療用診療装置は、歯科に限らず、眼科、耳鼻咽喉科、放射線科、および獣医科など、あらゆる医科の診療にも適用することが可能である。また、診療には、診断および治療が含まれる。
【００２４】
[医療用診療システムの構成]
図１は、医療用診療システム１０００を示す概略図である。図１に示すように、医療用診療システム１０００は、医療用診療装置１０（以下、診療装置１０とも称する）と、通信装置１００とを備える。通信装置１００は、アクセスポイント５０によって構築された無線ネットワーク環境において診療装置１０と通信可能である。なお、通信装置１００は、アクセスポイント５０を介さずに診療装置１０と無線通信可能であってもよい。また、通信装置１００は、診療装置１０が備える装着部４５に装着されることにより診療装置１０と有線接続される。この場合、通信装置１００は、通信線を介して診療装置１０と通信可能になる。また、図示は省略するが、通信装置１００は複数の診療装置１０と無線通信することが可能である。なお、医療用診療システム１０００は、「医療用診療システム」の一実施形態に対応し、診療装置１０は、「医療用診療装置」の一実施形態に対応し、通信装置１００は、「通信装置」および「携帯端末」の一実施形態に対応する。
【００２５】
[診療装置の構成]
図１に示すように、診療装置１０は、診療椅子１と、フートコントローラ５と、トレーテーブル３と、制御装置９と、操作パネル８と、ベースンユニット２と、モニタ６と、装着部４５と、照明装置７と、インスツルメントホルダ３０とを備える。
【００２６】
図２は、診療装置１０の内部構成を概略的に示すブロック図である。図２に示すように、診療装置１０は、所定の機能を有する主な機能部として、シート駆動部１１と、制御部１３と、診療器具駆動部１４と、モニタ制御部１５と、ベースン制御部１６と、照明制御部１７と、保持解除特定部１８とを有する。これら各機能部は、基板上に実装されたＣＰＵ（Central Processing Unit）、ＲＯＭ（Read Only Memory）、およびＲＡＭ（Random Access Memory）（図示は省略する）などによって構成される。
【００２７】
診療椅子１は、患者の頭を支えるヘッドレスト１ａと、患者の背中を支える背もたれ１ｂと、患者の尾尻を支える座面シート１ｃと、患者の足を支える足置き台１ｄとを備える。ヘッドレスト１ａ、背もたれ１ｂ、座面シート１ｃ、および足置き台１ｄのそれぞれは、シート駆動部１１の制御に基づき駆動する。
【００２８】
たとえば、座面シート１ｃは、シート駆動部１１の制御に基づき上昇または下降する。ヘッドレスト１ａ、背もたれ１ｂ、および足置き台１ｄのそれぞれは、シート駆動部１１の制御に基づき座面シート１ｃに対して垂直方向または水平方向に移動する。ヘッドレスト１ａ、背もたれ１ｂ、および足置き台１ｄが座面シート１ｃに対して垂直方向に移動（診療椅子１の起立とも称する）すると、診療椅子１に座った患者が座位姿勢になる。ヘッドレスト１ａ、背もたれ１ｂ、および足置き台１ｄが座面シート１ｃに対して水平方向に移動（診療椅子１の傾斜とも称する）すると、診療椅子１に座った患者が仰向け姿勢になる。
【００２９】
このように、シート駆動部１１は、ヘッドレスト１ａ、背もたれ１ｂ、座面シート１ｃ、および足置き台１ｄのそれぞれを駆動させて、診療椅子１の位置および姿勢を変える機能を有する。なお、ヘッドレスト１ａ、背もたれ１ｂ、座面シート１ｃ、および足置き台１ｄは、「可動部」の一実施形態に対応する。
【００３０】
フートコントローラ５は、診療椅子１を駆動させるための操作を受け付ける。また、フートコントローラ５は、診療器具４を駆動させるための操作を受け付ける。ユーザは、フートコントローラ５を足踏操作することができる。
【００３１】
フートコントローラ５は、診療椅子１を駆動させるための操作を受け付けると、シート駆動部１１に制御信号を出力する。シート駆動部１１は、制御信号に基づき診療椅子１を駆動する。フートコントローラ５は、診療器具４を駆動させるための操作を受け付けると、診療器具駆動部１４に制御信号を出力する。診療器具駆動部１４は、制御信号に基づき診療器具４を駆動する。
【００３２】
トレーテーブル３は、診療時の物置台として用いられる。トレーテーブル３は、診療椅子１または床から延びるアーム（図示は省略する）に接続されている。このため、ユーザは、トレーテーブル３を診療椅子１に対して手動で回動、水平移動、および垂直移動させることが可能である。
【００３３】
制御装置９は、トレーテーブル３の底面に設けられている。制御装置９には、複数の診療器具４と、操作パネル８と、インスツルメントホルダ３０と、モニタ６と、無線通信部４１と、有線通信部４３とが接続されている。
【００３４】
診療器具４は、たとえば、エアータ−ビンハンドピース（ハイスピードハンドピース）、マイクロモータハンドピース（ロースピードハンドピース）、スケーラ、スリーウェイシリンジ、バキュームシリンジなどの診療用のインスツルメントである。なお、診療器具４は、これらに限らず、口腔内カメラ、光重合用照射器、根管長測定器、および根管拡大器などであってもよいし、鏡や注射器など、駆動しない器具であってもよい。
【００３５】
診療装置１０においては、診療器具４ａ〜４ｅの５種類が用いられる。たとえば、診療器具４ａおよび診療器具４ｂは、ハイスピードハンドピース（ＨＳ（ＨＳ１、ＨＳ２）とも称する）である。診療器具４ｃおよび診療器具４ｄは、ロースピードハンドピース（ＬＳ（ＬＳ１、ＬＳ２）とも称する）である。診療器具４ｅは、スケーラ（ＳＣとも称する）である。各診療器具４は、インスツルメントホルダ３０によって保持される。診療器具４がインスツルメントホルダ３０から取り出されると、インスツルメントホルダ３０による保持が解除され、診療器具４が選択された状態（被選択状態とも称する）になる。
【００３６】
各診療器具４は、制御装置９が備える診療器具駆動部１４に接続されている。診療器具駆動部１４は、フートコントローラ５に対するユーザの操作に基づき各診療器具４を駆動する。たとえば、ＨＳ１およびＨＳ２は、診療器具駆動部１４の制御に基づきヘッド部に保持される切削工具を回転させる。
【００３７】
このように、診療器具駆動部１４は、フートコントローラ５に対するユーザの操作に基づき診療器具４を駆動する機能を有する。
【００３８】
操作パネル８は、各種の機能を設定するための複数のアイコンを点灯させる。ユーザは、操作パネル８に点灯されたアイコンを押圧操作することにより、当該アイコンに対応する内部のスイッチを押圧操作することができる。なお、操作パネル８は、「第１操作部」の一実施形態に対応する。
【００３９】
操作パネル８は、制御装置９が備える制御部１３に接続されている。制御部１３は、機能を設定可能なアイコンのみを操作パネル８上で点灯させる。そして、制御部１３は、点灯されたアイコンが押圧操作されると、当該アイコンに対応するスイッチに接続された機能部に対して、機能を発揮させるための制御信号を出力する。
【００４０】
このように、制御部１３は、機能を設定可能か否かに応じて操作パネル８にアイコンを点灯または消灯させるとともに、押圧操作されたアイコンに対応するスイッチに接続された機能部に機能を発揮させる。なお、制御部１３は、「第１視認変更部」の一実施形態に対応する。
【００４１】
インスツルメントホルダ３０は、各診療器具４を保持する保持部材である。インスツルメントホルダ３０は、制御装置９が備える保持解除特定部１８に接続されている。保持解除特定部１８は、インスツルメントホルダ３０によって保持されている診療器具４と、保持が解除されている被選択状態の診療器具４とを検出するとともに、その検出結果を制御部１３に通知する。
【００４２】
モニタ６は、たとえば、液晶画面である。モニタ６は、制御装置９が備えるモニタ制御部１５に接続されている。たとえば、モニタ制御部１５は、被選択状態の診療器具４の駆動に関する画像、根管内での切削工具の先端の位置を示す画像、および口腔内カメラによって撮影された口腔内の画像などを、モニタ６に表示させる。
【００４３】
このように、モニタ制御部１５は、モニタ６上に所定の画像を表示させる機能を有する。
【００４４】
無線通信部４１は、診療装置１０が通信装置１００と無線通信する際に電波の送受信を行う無線アンテナである。通信装置１００からの信号は、通信装置１００から送信される電波によって無線通信部４１に搬送されて制御部１３によって受信される。一方、制御部１３からの信号は、無線通信部４１から送信される電波によって通信装置１００に搬送される。
【００４５】
有線通信部４３は、装着部４５（図１参照）に通信装置１００が装着されたときに、診療装置１０と通信装置１００とを有線接続させるインターフェースである。通信装置１００からの信号は、通信装置１００から通信線を介して送信されて制御部１３によって受信される。一方、制御部１３からの信号は、有線通信部４３から通信線を介して通信装置１００に送信される。なお、装着部４５は、「装着部」の一実施形態に対応する。
【００４６】
ベースンユニット２は、図１に示すように、診療椅子１の側部に備え付けられている。ベースンユニット２は、排水口が形成された鉢２ａと、コップが載置されるコップ台２ｂと、コップに給水するための給水栓２ｃとを備える。患者は、給水栓２ｃによってコップに給水された水を用いてうがいをすることができる。図２に示すように、ベースンユニット２は、ベースン制御部１６を備えている。ベースン制御部１６は、診療装置１０で用いられる水の流れを制御する。
【００４７】
このように、ベースン制御部１６は、診療装置１０で用いられる水の流れを制御する機能を有する。
【００４８】
さらに、ベースンユニット２は、照明制御部１７を備えている。照明制御部１７は、照明装置７の照明および消灯を制御する。
【００４９】
このように、照明制御部１７は、照明装置７の照明および消灯を制御する機能（照明制御機能とも称する）を有する。
【００５０】
なお、診療装置１０は、図１に示す構成以外の構成、および図２に示す機能部以外の機能部を備えていてもよい。
【００５１】
[通信装置の構成]
本実施の形態の通信装置１００は、ユーザが持ち運び可能なタブレット型の携帯端末である。図３に示すように、通信装置１００は、制御部１１１と、記憶部１１２と、カメラ１１３と、マイクロフォン１１４と、タッチディスプレイ１１５と、無線通信部１１６と、有線通信部１１７とを備える。
【００５２】
制御部１１１は、基板上に実装されたＣＰＵなどによって構成される。記憶部１１２は、ＲＯＭまたはＲＡＭなどから構成され、ユーザに関する情報などが格納された管理テーブルを記憶する。制御部１１１は、記憶部１１２に記憶された管理テーブルを参照しながら各種処理を実行する。管理テーブルについては、図７を用いて後で説明する。なお、記憶部１１２は、「記憶部」の一実施形態に対応する。
【００５３】
タッチディスプレイ１１５には、液晶画面にタッチパネルが設けられている。液晶画面には、各種スイッチがアイコン画像で表示される。ユーザは、タッチディスプレイ１１５に表示されたアイコン画像を押圧操作することができる。アイコン画像は、制御部１１１の制御に基づき表示と非表示とで切り替えられる。制御部１１１は、アイコン画像が押圧操作されると、当該アイコン画像の操作に対応する処理を実行する。なお、タッチディスプレイ１１５は、「第２操作部」の一実施形態に対応する。また、制御部１１１は、「第２視認変更部」の一実施形態に対応する。
【００５４】
カメラ１１３は、撮影対象を撮影するとともに、取得した撮影画像の画像データを制御部１１１に出力する。制御部１１１は、カメラ１１３からの画像データに基づき所定の処理を実行する。たとえば、制御部１１１は、カメラ１１３によって撮像されたユーザの顔貌画像に対応する画像データと、記憶部１１２に予め記憶された顔貌データとが一致するか否かを判定する顔貌認証処理を実行する。なお、制御部１１１は、「顔貌認証部」の一実施形態に対応する。
【００５５】
マイクロフォン１１４は、外部から入力された音声を電気信号に変換して制御部１１１に出力する。制御部１１１は、マイクロフォン１１４からの電気信号に基づき音声を認識し、認識した音声に基づき所定の処理を実行する。たとえば、制御部１１１は、マイクロフォン１１４によって集音されたユーザの音声に対応する音声データと、記憶部１１２に予め記憶された音声データとが一致するか否かを判定する音声認証処理を実行する。なお、制御部１１１は、「音声認証部」の一実施形態に対応する。
【００５６】
無線通信部１１６は、診療装置１０との間で無線通信する際に電波の送受信を行う無線アンテナである。診療装置１０からの信号は、診療装置１０から送信される電波によって無線通信部１１６に搬送されて制御部１１１によって受信される。一方、制御部１１１からの信号は、無線通信部１１６から送信される電波によって診療装置１０に搬送される。
【００５７】
有線通信部４３は、診療装置１０の装着部４５に通信装置１００が装着されたときに、通信装置１００と診療装置１０とを有線接続させるインターフェースである。診療装置１０からの信号は、診療装置１０から通信線を介して送信されて制御部１１１によって受信される。一方、制御部１１１からの信号は、有線通信部４３から通信線を介して診療装置１０に送信される。
【００５８】
なお、診療装置１０と通信装置１００とが有線通信または無線通信によって互いに信号を送受信できる状態を通信状態と称し、診療装置１０と通信装置１００とが有線通信および無線通信のいずれによっても互いに信号を送受信できない状態を非通信状態と称する。
【００５９】
[操作パネルの構成]
図４を参照しながら、操作パネル８の構成を説明する。図４は、診療装置１０が備える操作パネル８上のアイコンを説明するための図である。
【００６０】
操作パネル８の内部には、各機能部のそれぞれの機能を有効化させるための各スイッチ（図示は省略する）が基板上に配列されている。その基板の上面には板状のパネルが覆うように設けられている。パネルの表面には、光拡散素材のインクによって複数のアイコンがシルク印刷されている。このアイコンに対して操作パネル８の内部に設けられたＬＥＤ（図示は省略する）から光を照射することによって、操作パネル８上にアイコンが点灯して現れる。これにより、ユーザは、アイコンを視認可能となる。ユーザは、操作パネル８上のアイコンを押圧操作すると、当該アイコンに対応してパネル内部に設けられたスイッチを押圧操作することができる。なお、操作パネル８上にアイコンが現れることをアイコンの点灯とも称し、操作パネル８上からアイコンが消えることをアイコンの消灯とも称する。
【００６１】
操作パネル８の内部に設けられた各スイッチは、物理的に押圧可能なスイッチであり、画面上に表示されるアイコン画像のような仮想的なスイッチではない。このため、ユーザは、操作パネル８上に点灯したシルク印刷されたアイコンを押圧操作するときにスイッチを押す感覚（クリック感）を得ることができる。
【００６２】
操作パネル８の内部には、全ての機能部のそれぞれに対応してスイッチが設けられている。しかし、操作パネル８上に全てのスイッチに対応するアイコンが常に視認できるように点灯している訳ではなく、現時点で設定可能（発揮可能）な機能に対応するアイコンのみが点灯する。
【００６３】
たとえば、診療椅子１の上昇が限界であるにも関わらず、上昇スイッチに対応するアイコンが操作パネル８に点灯してしまうと、ユーザは診療椅子１をまだ上昇できるかのように錯覚してしまう。そこで、診療椅子１の上昇が限界である場合には、操作パネル８上に上昇スイッチに対応するアイコンが消灯するようになっている。これにより、機能の設定が限界である機能部に対応するスイッチをユーザが誤って操作してしまうことを防止することができる。
【００６４】
具体的に、診療装置１０の制御部１３は、操作パネル８が備える各スイッチの周辺に設けられたＬＥＤを制御することにより、機能の設定が限界であるスイッチに対応するアイコンに対しては光の照射を停止する。これにより、機能の設定が限界であるときには、機能の設定が未だ限界ではないときよりも、ユーザに認識されない程度にアイコンの視認性が低下する。
【００６５】
このように、操作しても機能を設定できないスイッチを、ユーザの視覚から消す、または見え辛くすることによって、機能を設定できないスイッチへの操作をユーザにさせないようになっている。
【００６６】
図４を参照しながら、操作パネル８に示されたアイコンについて説明する。なお、図４は、操作パネル８の平面図であり、全てのアイコンが操作パネル８上で点灯している状態を示している。
【００６７】
アイコン８ａ、アイコン８ｂ、アイコン８ｃ、およびアイコン８ｄは、診療椅子１を１回の操作で所定位置に移動させる機能（チェアオート機能とも称する）を設定する際に押圧操作されるアイコンである。なお、チェアオート機能は、シート駆動部１１が発揮する機能の一部である。
【００６８】
チェアオート機能を発揮するスイッチとしては、１回の操作で奥歯診療に最適な高さや傾斜角度となる位置に診療椅子１を自動的に移動させるオート１スイッチと、１回の操作で前歯診療に最適な高さや傾斜角度となる位置に診療椅子１を自動的に移動させるオート２スイッチと、１回の操作で患者の導入または導出に最適な高さや傾斜角度となる位置に診療椅子１を自動的に移動させるオートＲスイッチと、１回の操作で患者がうがいを行うのに最適な高さや傾斜角度となる位置に診療椅子１を自動的に移動させるオートＳスイッチとが設けられている。アイコン８ａは、オート１スイッチに対応する。アイコン８ｂは、オート２スイッチに対応する。アイコン８ｃは、オートＲスイッチに対応する。アイコン８ｄは、オートＳスイッチに対応する。
【００６９】
なお、オート１スイッチ、オート２スイッチ、またはオートＳスイッチの操作によって診療椅子１を自動的に移動させる位置は、ユーザによって任意に設定可能である。
【００７０】
アイコン８ｅ、アイコン８ｆ、アイコン８ｇ、およびアイコン８ｈは、診療椅子１の位置および姿勢のいずれかを連続的に変更する機能（チェアマニュアル機能とも称する）を設定する際に押圧操作されるアイコンである。なお、チェアマニュアル機能は、シート駆動部１１の機能の一部である。
【００７１】
チェアマニュアル機能を発揮するスイッチとしては、操作時間（押圧の継続時間）に応じて診療椅子１を連続的に起立させる起立スイッチと、操作時間に応じて診療椅子１を連続的に傾斜させる傾斜スイッチと、操作時間に応じて診療椅子１を連続的に上昇させる上昇スイッチと、操作時間に応じて診療椅子１を連続的に下降させる下降スイッチとが設けられている。アイコン８ｅは、起立スイッチに対応する。アイコン８ｆは、傾斜スイッチに対応する。アイコン８ｇは、上昇スイッチに対応する。アイコン８ｈは、下降スイッチに対応する。
【００７２】
なお、チェアマニュアル機能は、診療椅子１の位置および姿勢の少なくとも一方を段階的に移動させる機能であってもよい。この場合、チェアマニュアル機能を有効にするスイッチは、操作回数（押圧の回数）に応じて診療椅子１の位置および姿勢の少なくとも一方を段階的に移動させることになる。このように、チェアマニュアル機能を発揮するスイッチは、押圧操作される時間または回数に応じてチェアマニュアル機能を連続的または段階的に発揮させることができるスイッチである。
【００７３】
アイコン８ｉは、診療椅子１の移動速度を設定する機能（チェア速度機能とも称する）を設定する際に押圧操作されるアイコンである。アイコン８ｉは、チェア速度スイッチに対応する。ユーザがチェア速度スイッチを長押しすると、診療椅子１の移動速度が通常速度と低速度との間で切り替えられる。
【００７４】
アイコン８ｉの上方には、ドットアイコン８０ｉが付されている。ドットアイコン８０ｉは、診療椅子１の移動速度の設定状態を示す。たとえば、診療椅子１の移動速度が通常速度に設定されている場合、ドットアイコン８０ｉが消灯する。診療椅子１の移動速度が低速度に設定されている場合、ドットアイコン８０ｉが点灯する。
【００７５】
アイコン８ｊは、照明装置７による照明と消灯とを切り替える機能（照明機能とも称する）を設定する際に押圧操作されるアイコンである。アイコン８ｊは、照明スイッチに対応する。ユーザが照明スイッチを操作するごとに照明装置７が照明と消灯とで切り替えられる。
【００７６】
アイコン８ｋおよびアイコン８ｍは、ハイスピードハンドピース（ＨＳ）の装備状態を示すとともに装備されたＨＳ（ＨＳ１、ＨＳ２）を選択する際に押圧操作されるアイコンである。アイコン８ｋは、ＨＳ１スイッチに対応する。アイコン８ｍは、ＨＳ２スイッチに対応する。ユーザがＨＳ１スイッチを操作するか、またはインスツルメントホルダ３０からＨＳ１を取り出してＨＳ１の保持を解除すると、ＨＳ１が被選択状態となる。ユーザがＨＳ２スイッチを操作するか、またはインスツルメントホルダ３０からＨＳ２を取り出してＨＳ２の保持を解除すると、ＨＳ２が被選択状態となる。
【００７７】
アイコン８ｋおよびアイコン８ｍのそれぞれの上方には、ドットアイコン８０ｋおよびドットアイコン８０ｍがそれぞれ付されている。ドットアイコン８０ｋは、ＨＳ１の被選択状態や駆動状態を示す。ドットアイコン８０ｍは、ＨＳ２の被選択状態や駆動状態を示す。たとえば、ＨＳ１が被選択状態の場合、ドットアイコン８０ｋが点灯する。ＨＳ１が駆動中の場合、ドットアイコン８０ｋが点滅する。
【００７８】
アイコン８ｎおよびアイコン８ｐは、ロースピードハンドピース（ＬＳ）の装備状態を示すとともに装備されたＬＳ（ＬＳ１、ＬＳ２）を選択する際に押圧操作されるアイコンである。アイコン８ｎは、ＬＳ１スイッチに対応する。アイコン８ｐは、ＬＳ２スイッチに対応する。ユーザがＬＳ１スイッチを操作するか、またはインスツルメントホルダ３０からＬＳ１を取り出してＬＳ１の保持を解除すると、ＬＳ１が被選択状態となる。また、ユーザがＬＳ２スイッチを操作するか、またはインスツルメントホルダ３０からＬＳ２を取り出してＬＳ２の保持を解除すると、ＬＳ２が被選択状態となる。
【００７９】
アイコン８ｎおよびアイコン８ｐのそれぞれの上方には、ドットアイコン８０ｎおよびドットアイコン８０ｐがそれぞれ付されている。ドットアイコン８０ｎは、ＬＳ１の被選択状態や駆動状態を示す。ドットアイコン８０ｐは、ＬＳ２の被選択状態や駆動状態を示す。たとえば、ＬＳ１が被選択状態の場合、ドットアイコン８０ｎが点灯する。ＬＳ１が駆動中の場合、ドットアイコン８０ｎが点滅する。
【００８０】
アイコン８ｑは、スケーラ（ＳＣ）の装備状態を示すとともに装備されたＳＣを選択する際に押圧操作されるアイコンである。アイコン８ｑは、ＳＣスイッチに対応する。ユーザがＳＣスイッチを操作するか、またはインスツルメントホルダ３０からＳＣを取り出してＳＣの保持を解除すると、ＳＣが被選択状態となる。
【００８１】
アイコン８ｑの上方には、ドットアイコン８０ｑが付されている。ドットアイコン８０ｑは、ＳＣの被選択状態や駆動状態を示す。たとえば、ＳＣが被選択状態の場合、ドットアイコン８０ｑが点灯する。ＳＣが駆動中の場合、ドットアイコン８０ｑが点滅する。
【００８２】
アイコン８ｒは、診療器具４の先端部に設けられ、先端部周辺に光を出射するＨＰライト（図示は省略する）による点灯と消灯とを切り替える際に押圧操作されるアイコンである。ＨＰライトから出射される光は、たとえば、患部を照明するために用いられる診療用媒体となる。アイコン８ｒは、ＨＰライトスイッチに対応する。ユーザがＨＰライトスイッチを操作するごとにＬＥＤライトが明点灯と暗点灯と消灯との間で順次切り替えられる。
【００８３】
アイコン８ｒの上方には、ドットアイコン８１ｒおよびドットアイコン８２ｒが付されている。ドットアイコン８１ｒおよびドットアイコン８２ｒのそれぞれは、ＨＰライトの点灯状態を示す。たとえば、ＨＰライトが明点灯の場合、ドットアイコン８１ｒおよびドットアイコン８２ｒが点灯する。ＨＰライトが暗点灯の場合、ドットアイコン８１ｒのみが点灯する。ＨＰライトが消灯の場合、ドットアイコン８１ｒおよびドットアイコン８２ｒが消灯する。
【００８４】
アイコン８ｓは、診療器具４の先端部に設けられ、先端部周辺に水を出射するＨＰ注水部（図示は省略する）による注水のオンとオフとを切り替える際に押圧操作されるアイコンである。ＨＰ注水部から出射される水は、たとえば、患部を冷却するために用いられる診療用媒体である。なお、患部を冷却するために用いられる診療用媒体は、水に限らず、エアであってもよい。アイコン８ｓは、ＨＰ注水スイッチに対応する。ユーザがＨＰ注水スイッチを操作するごとにＨＰ注水部による注水がオンとオフとで切り替えられる。
【００８５】
アイコン８ｓの上方には、ドットアイコン８０ｓが付されている。ドットアイコン８０ｓは、ＨＰ注水部による注水状態を示す。たとえば、ＨＰ注水部がオンの場合、ドットアイコン８０ｓが点灯する。ＨＰ注水部がオフの場合、ドットアイコン８０ｓが消灯する。
【００８６】
アイコン８ｔは、ＬＳの回転数の設定範囲およびＳＣの駆動力の設定範囲を切り替える際に押圧操作されるアイコンである。アイコン８ｔは、レンジ切替スイッチに対応する。ユーザがレンジ切替スイッチを操作するごとにＬＳの回転数の設定範囲またはＳＣの駆動力の設定範囲が切り替えられる。
【００８７】
なお、レンジ切替スイッチの操作によって切り替えられた設定範囲は、アイコン８４に示される。たとえば、ＬＳが選択されているときには、回転数の設定範囲が狭い順に、「Ｕ」（Under）、「Ｌ」（Low）、「Ｍ」（Middle）、「Ｈ」（High）の文字がアイコン８４として示される。また、ＳＣが選択されているときには、駆動力の設定範囲が狭い順に、「Ｐ」（Perio）、「Ｅ」（Endo）、「Ｓ」（Scaling）、「Ｂ」（Boost）の文字がアイコン８４として示される。さらに、アイコン８５には、設定範囲に応じたＬＳの最大回転数またはＳＣの最大駆動力が示される。なお、ユーザは、アイコン８６に対応するマイナススイッチを操作すれば、ＬＳの回転数およびＳＣの駆動力を低く設定することができる。また、ユーザは、アイコン８７に対応するプラススイッチを操作すれば、ＬＳの回転数およびＳＣの駆動力を高く設定することができる。
【００８８】
アイコン８ｕは、ＨＳおよびＬＳの回転速度のモードを一定速モードと可変速モードとで切り替える際に押圧操作されるアイコンである。一定速モードは、ＨＳおよびＬＳの先端の切削工具が予め決められた一定の速度で回転するモードである。可変速モードは、ＨＳおよびＬＳの先端の切削工具がフートコントローラ５の踏み込み量に応じた速度で回転するモードである。アイコン８ｕは、一定速／可変速切替スイッチに対応する。ユーザが一定速／可変速切替スイッチを操作するごとに、ＨＳおよびＬＳの回転速度のモードが一定速モードと可変速モードとで切り替えられる。
【００８９】
アイコン８ｕの上方には、ドットアイコン８１ｕおよびドットアイコン８２ｕが付されている。ドットアイコン８１ｕおよびドットアイコン８２ｕは、回転速度のモード状態を示す。たとえば、回転速度のモードが可変速モードである場合、ドットアイコン８１ｕのみが点灯する。回転速度のモードが一定速モードである場合、ドットアイコン８２ｕのみが点灯する。
【００９０】
アイコン８ｖは、ＬＳの回転方向のモードを正転モードと逆転モードとで切り替える際に押圧操作されるアイコンである。正転モードは、ＬＳの先端の切削工具が時計回りに回転するモードである。逆転モードは、ＬＳの先端の切削工具が反時計回りに回転するモードである。アイコン８ｖは、回転方向切替スイッチに対応する。ユーザが回転方向切替スイッチを操作するごとにＬＳの回転方向のモードが正転モードと逆転モードとで切り替えられる。
【００９１】
アイコン８ｖの上方には、ドットアイコン８１ｖおよびドットアイコン８２ｖが付されている。ドットアイコン８１ｖおよびドットアイコン８２ｖは、回転方向のモード状態を示す。たとえば、回転方向のモードが正転モードである場合、ドットアイコン８１ｖのみが点灯する。回転方向のモードが逆転モードである場合、ドットアイコン８２ｖのみが点灯する。
【００９２】
アイコン８３は、スイッチが操作されたことを示す。アイコン８３は、各アイコンに対応して予め設けられ、スイッチが操作されたときに、当該スイッチに対応するアイコンを指し示す。
【００９３】
アイコン８８は、上述した各種スイッチによる設定以外の設定をするための他のスイッチに対応する。なお、本実施の形態においては、アイコン８８に対応するスイッチは設けられていない。
【００９４】
このように、本実施の形態においては、液晶画面を用いていない非液晶型の操作パネルを採用している。その理由は、液晶型の操作パネルの場合、非常に薄い膜に少し触れるだけでスイッチに対する押圧操作が検出されるため、本実施の形態のように物理的にユーザに押圧操作させるスイッチとは異なり、ユーザにスイッチを押したときのクリック感を効果的に感じさせることができないためである。年配のユーザの中にはスイッチを操作したときの手応えが感じられないと設定した気がしないと感じる者もいる。このため、クリック感を確保することを考慮すると、液晶型の操作パネルではなく、物理的にユーザに押圧操作させるスイッチを採用した操作パネルにする方が好ましい。また、液晶画面およびタッチパネルは比較的高価であるため、液晶型の操作パネルを採用した場合、診療装置１０のコストが高くなる。さらに、液晶型の操作パネルを採用した場合、画面の表示を切り替えながら様々な操作を組み合わせることにより詳細な設定を可能にする。このため、診療中において幾度も液晶画面をタッチ操作することになり、衛生状態を保つ上で好ましくない。
【００９５】
しかしながら、非液晶型の操作パネル８の場合、タッチパネルを有する液晶型の操作パネルのように画面上でスイッチを操作するものに比べて設定が容易ではない。全てのユーザが機能を詳細に設定できる診療装置１０を望んでいるわけではないが、ユーザの中には機能について詳細に設定できることできめ細かい診療を実現したいという要望もある。
【００９６】
そこで、本実施の形態においては、診療装置１０とは別の通信装置１００を用いて、遠隔操作によって診療装置１０の機能を詳細に設定できるようにした。しかし、診療装置１０とは別の通信装置１００によって診療装置１０が有する全ての機能を詳細に設定できるようにしてしまうと、万一、通信装置１００が誤操作された場合、機能によっては円滑な診療行為を直接的に妨げる虞がある。
【００９７】
たとえば、アイコン８ａ〜８ｈは、診療椅子１の位置および姿勢の少なくとも一方を変えるシート駆動部１１の機能を設定させるためのスイッチに対応する。このような診療椅子１の位置および姿勢を変える機能についてまで通信装置１００で遠隔操作できてしまうと、万一、通信装置１００が誤操作された場合、ユーザの意図しない位置および姿勢に診療椅子１が突然移動して円滑な診療行為を直接的に妨げる虞がある。また、アイコン８ｊは、照明装置７による照明と消灯とを切り替える照明制御部１７の照明機能を設定させるためのスイッチに対応する。このような照明装置７の照明機能についてまで通信装置１００で遠隔操作できてしまうと、万一、通信装置１００が誤操作された場合、診療中に突然視界が暗くなって円滑な診療行為を直接的に妨げる虞がある。
【００９８】
上述したことに鑑みて、本実施の形態においては、通信装置１００を用いて診療装置１０の機能を詳細に設定できるようにする一方で、複数の機能のうち、特定機能については通信装置１００による詳細設定を規制した。以下、詳細に説明する。
【００９９】
[通信装置による詳細設定]
以下の説明では、設定内容によっては円滑な診療行為を直接的に妨げる虞がある特定機能を第１機能と称し、円滑な診療行為を直接的に妨げる虞がない、あるいは円滑な診療行為を直接的に妨げる虞が少ない機能を第２機能と称する。上述したように、第１機能としては、アイコン８ａ〜８ｄで示されるチェアオート機能、アイコン８ｅ〜８ｈで示されるチェアマニュアル機能、アイコン８ｉで示されるチェア速度機能、およびアイコン８ｊで示される照明機能が該当する。また、第２機能としては、アイコン８ｋ〜８ｖで示される各機能が該当する。たとえば、アイコン８ｋ〜８ｑは、診療器具４を選択する際に押圧操作されるが、このアイコンを操作しただけでは診療器具４は駆動せず、フートコントローラ５が足踏操作されることによって初めて被選択状態の診療器具４が駆動する。このため、アイコン８ｋ〜８ｑを誤操作したとしても円滑な診療行為を直接的に妨げる虞は少ない。
【０１００】
以上の機能を、第１機能とみなすか第２機能とみなすかは、適宜検討されうる。たとえば、アイコン８ｊで示される照明機能は、円滑な診療行為を直接的に妨げる虞は少ないとみなし、第２機能に分類することもできる。なお、第１機能は、「特定機能」の一実施形態に対応し、第２機能は、「他機能」の一実施形態に対応する。また、アイコン８ａ〜８ｊを第１アイコンとも称し、その他の機能に対応するアイコン８ｋ〜８ｖを第２アイコンとも称する。なお、アイコン８４〜８７は、第１アイコンおよび第２アイコン以外のアイコンであるため、その他アイコンとも称する。
【０１０１】
ユーザは、無線通信可能な範囲内にまで通信装置１００を診療装置１０に近づけることにより、通信装置１００と診療装置１０とを無線通信させることができる。また、ユーザは、診療装置１０の装着部４５に通信装置１００を装着することにより、通信装置１００と診療装置１０とを通信線を介して有線通信させることができる。診療装置１０と通信装置１００とが通信状態である場合、通信装置１００の操作によって診療装置１０の機能について詳細設定することができるようになる。
【０１０２】
ただし、通信装置１００においては、第２機能を設定するためのプログラムおよびデータは記憶されているが、第１機能を設定するためのプログラムおよびデータは記憶されていない。このため、通信装置１００と診療装置１０とが通信状態である場合、第２機能については通信装置１００による遠隔操作で詳細設定が可能であるが、第１機能については通信装置１００による遠隔操作で詳細設定が不可能である。
【０１０３】
たとえば、図５は、診療装置１０と通信装置１００とが非通信状態である場合における操作パネル８上のアイコンの点灯状況および通信装置１００の画面表示について説明するための図である。
【０１０４】
図５に示すように、診療装置１０と通信装置１００とが非通信状態である場合、診療装置１０の操作パネル８においては、第１アイコンおよび第２アイコンともに点灯する。一方、通信装置１００のタッチディスプレイ１１５においては、第１機能および第２機能のいずれについても設定画像は表示されない。すなわち、診療装置１０と通信装置１００とが非通信状態である場合、診療装置１０の操作パネル８においては、複数の機能のそれぞれの設定が可能であり、通信装置１００のタッチディスプレイ１１５においては、複数の機能のいずれの設定も規制される。ここで言う「規制」とは、「禁止」の意味であり、本実施の形態においては、通信装置１００のタッチディスプレイ１１５に設定画像が表示されない、およびタッチディスプレイ１１５に対する押圧操作に基づいて複数の機能のいずれの設定処理も実行されないようになっている。
【０１０５】
なお、通信装置１００のタッチディスプレイ１１５においては、少なくとも診療装置１０が有する機能の設定画像が表示されないものであればよく、それ以外の画像は表示されてもよい。
【０１０６】
図６は、診療装置１０と通信装置１００とが通信状態である場合における操作パネル８上のアイコンの点灯状況および通信装置１００の画面表示について説明するための図である。
【０１０７】
図６に示すように、診療装置１０と通信装置１００とが通信状態である場合、診療装置１０の操作パネル８においては、第１アイコンが点灯し、第２アイコンおよびその他アイコンが消灯する。一方、通信装置１００のタッチディスプレイ１１５においては、第２機能についての設定画像のみが表示され、第１機能についての設定画像は表示されない。すなわち、診療装置１０と通信装置１００とが通信状態である場合、診療装置１０の操作パネル８においては、複数の機能のうちの第１機能の設定が可能である一方で、第２機能の設定が規制される。ここで言う「規制」とは、「禁止」の意味であり、本実施の形態においては、診療装置１０の操作パネル８において第２アイコンが点灯しない、および操作パネル８に対する押圧操作に基づいて第２機能の設定処理が実行されないようになっている。そして、通信装置１００のタッチディスプレイ１１５においては、第２機能の設定が可能である一方で、第１機能の設定が規制される。ここで言う「規制」とは、「禁止」の意味であり、本実施の形態においては、通信装置１００のタッチディスプレイ１１５に第１機能についての設定画像が表示されない、およびタッチディスプレイ１１５に対する押圧操作に基づいて第１機能の設定処理が実行されないようになっている。
【０１０８】
このように、通信装置１００を用いることによって診療装置１０の機能について詳細に設定できるようにする一方で、診療装置１０の第１機能については通信装置１００による設定が規制される。このため、診療装置１０のコストに極力影響を与えることなく診療装置１０の機能を詳細に設定できるようにする一方で、通信装置１００の誤操作によって円滑な診療行為を直接的に妨げてしまうことを防止することができる。
【０１０９】
また、通信装置１００において第２機能の詳細設定が可能であるときには、診療装置１０において第２機能の詳細設定を不可能にすることで、通信装置１００における設定と診療装置１０における設定とが重複しない。これにより、ユーザの意図しない内容で第２機能が設定されてしまうことを防止することができる。
【０１１０】
[通信装置による自動設定]
本実施の形態においては、第２機能についての設定を通信装置１００に予め記憶させることができる。そして、通信装置１００が診療装置１０と通信状態になったときに、予め記憶していた設定内容に基づき診療装置１０において第２機能を自動で設定させることができる。以下、詳細に説明する。
【０１１１】
ユーザは、ＩＤおよびパスワードを通信装置１００の記憶部１１２に予め記憶させることができる。また、ユーザは、通信装置１００を用いて複数の診療装置１０（本実施の形態においては、診療装置Ａ、診療装置Ｂ、診療装置Ｃ）と通信可能であり、それぞれの診療装置１０の第２機能についての設定データを記憶部１１２に予め記憶させることができる。なお、ユーザは、一の診療装置１０が有する複数の第２機能のそれぞれについて個別に詳細設定することができ、設定した全てのデータを記憶部１１２に予め記憶させることができる。記憶部１１２に記憶された第２機能の設定データは、ＩＤおよびパスワードに対応付けられる。
【０１１２】
また、ユーザは、通信装置１００のマイクロフォン１１４に自分の音声を入力することにより音声データを記憶部１１２に予め記憶させることができる。記憶部１１２に記憶された第２機能の設定は、音声データに対応付けられる。
【０１１３】
また、ユーザは、カメラ１１３で撮像した自分の顔貌画像の画像データを記憶部１１２に予め記憶させることができる。記憶部１１２に記憶された第２機能の設定は、顔貌画像の画像データに対応付けられる。
【０１１４】
さらに、ユーザは、複数の診療装置１０のそれぞれにおけるプログラムおよびデータの少なくとも一方を更新するための更新データを記憶部１１２に予め記憶させることができる。プログラムとしては、たとえば、診療装置１０の各機能部が所定の機能を発揮するための命令および処理手順（ソフトウェア）が該当する。データとしては、設定データ、画像データ、および音声データなど、診療装置１０の各機能部が所定の機能を発揮する際に用いる様々なデータが該当する。なお、通信装置１００は、ＣＤなどの記憶媒体から更新データを取得してもよいし、有線通信または無線通信によって外部サーバから更新データを取得してもよい。
【０１１５】
たとえば、図７は、通信装置１００が記憶する管理テーブルを説明するための図である。図７に示すように、管理テーブルには、各ユーザに対応して、ＩＤ、パスワード、音声データ、顔貌データ、診療装置１０ごとの第２機能の設定データ、および診療装置１０ごとの更新データが格納されている。通信装置１００において、ユーザ、ＩＤ、パスワード、音声データ、顔貌データ、第２機能の設定データ、および更新データのいずれかが新たに登録されたときには、この管理テーブルに格納された情報が更新される。
【０１１６】
これにより、複数のユーザが１つの通信装置１００を共有している場合でも、ＩＤおよびパスワードによる認証、マイクロフォン１１４への音声入力による音声認証、またはカメラ１１３による顔貌撮影による顔貌認証によって、ユーザごとに登録された第２機能の設定データおよび更新データが記憶部１１２から抽出される。そして、通信装置１００と診療装置１０とが通信状態であるときには、記憶部１１２から抽出された設定データおよび更新データが診療装置１０に送信される。一方、診療装置１０は、通信装置１００から設定データを受信すると、受信した設定データに基づいて第２機能を自動で設定する。また、診療装置１０は、通信装置１００から更新データを受信すると、受信した更新データに基づいてプログラムおよびデータの少なくとも一方を更新する。
【０１１７】
このように、通信装置１００の記憶部１１２に第２機能を予め設定しておけば、診療装置１０と通信装置１００とが通信状態であるときに診療装置１０において第２機能を自動で設定させることができる。
【０１１８】
また、通信装置１００を用いて診療装置１０のプログラムおよびデータの少なくとも一方を自動で更新させることができる。なお、通信装置１００による自動更新の際、通信装置１００が、診療装置１０におけるセンサやアクチュエータなどの状態に関する情報を受け取るようにしてもよい。
【０１１９】
[通信処理（通信装置側）]
上述した構成を有する医療用診療システム１０００について、通信装置１００および診療装置１０のそれぞれの処理についてフローチャートを参照しながら説明する。
【０１２０】
図８は、通信装置１００が実行する通信処理を説明するためのフローチャートである。なお、図８に示す通信処理は、通信装置１００が備える制御部１１１が所定周期で実行する処理である。
【０１２１】
図８に示すように、通信装置１００は、複数の診療装置１０のうちのいずれかの診療装置１０の装着部４５に装着されたか否かを判定する（Ｓ１１１）。通信装置１００は、いずれかの診療装置１０の装着部４５に装着されている場合（Ｓ１１１でＹＥＳ）、当該診療装置１０と通信線を介して有線通信を開始し（Ｓ１１２）、本ルーチンを終了する。
【０１２２】
一方、通信装置１００は、いずれの診療装置１０の装着部４５にも装着されていない場合（Ｓ１１１でＮＯ）、いずれかの診療装置１０と無線通信可能であるか否かを判定する（Ｓ１１３）。通信装置１００は、いずれの診療装置１０とも無線通信可能でない場合（Ｓ１１３でＮＯ）、本ルーチンを終了する。
【０１２３】
一方、通信装置１００は、いずれかの診療装置１０と無線通信可能である場合（Ｓ１１３でＹＥＳ）、複数の診療装置１０と無線通信可能であるか否かを判定する（Ｓ１１４）。つまり、通信装置１００は、無線通信可能な範囲内に複数の診療装置１０が存在するか否かを判定する。
【０１２４】
通信装置１００は、複数の診療装置１０と無線通信可能でない、すなわち一の診療装置１０のみと無線通信可能である場合（Ｓ１１４でＮＯ）、当該診療装置１０と無線通信を開始し（Ｓ１１５）、本ルーチンを終了する。
【０１２５】
一方、通信装置１００は、複数の診療装置と無線通信可能である場合（Ｓ１１４でＹＥＳ）、最も接近した診療装置１０と優先的に無線通信を開始し（Ｓ１１６）、本ルーチンを終了する。
【０１２６】
[データ抽出処理（通信装置側）]
図９は、通信装置１００が実行するデータ抽出処理を説明するためのフローチャートである。なお、図９に示すデータ抽出処理は、通信装置１００が備える制御部１１１が所定周期で実行する処理である。
【０１２７】
図９に示すように、通信装置１００は、有線通信または無線通信によって診療装置１０と通信状態であるか否かを判定する（Ｓ１２１）。通信装置１００は、診療装置１０と通信状態でない場合（Ｓ１２１でＮＯ）、本ルーチンを終了する。
【０１２８】
一方、通信装置１００は、診療装置１０と通信状態である場合（Ｓ１２１でＹＥＳ）、ＩＤおよびパスワードが認証済みであるか否かを判定する（Ｓ１２２）。つまり、通信装置１００は、ユーザによって入力されたＩＤおよびパスワードと、記憶部１１２に記憶されたＩＤおよびパスワードとを比較した結果、ＩＤおよびパスワードが認証されたか否かを判定する。
【０１２９】
通信装置１００は、ＩＤおよびパスワードが認証済みでない場合（Ｓ１２２でＮＯ）、音声認証済みであるか否かを判定する（Ｓ１２３）。つまり、通信装置１００は、マイクロフォン１１４から入力されたユーザの音声と、記憶部１１２に記憶された音声データに対応する音声とを比較した結果、ユーザの音声が認証されたか否かを判定する。
【０１３０】
通信装置１００は、音声認証済みでない場合（Ｓ１２３でＮＯ）、顔貌認証済みであるか否かを判定する（Ｓ１２４）。つまり、通信装置１００は、カメラ１１３によって撮影されたユーザの顔貌と記憶部１１２に記憶された顔貌データに対応する顔貌とを比較した結果、ユーザの顔貌が認証されたか否かを判定する。
【０１３１】
通信装置１００は、ＩＤおよびパスワードの認証、音声認証、および顔貌認証のいずれも行われなかった場合（Ｓ１２４でＮＯ）、本ルーチンを終了する。
【０１３２】
一方、通信装置１００は、ＩＤおよびパスワードの認証（Ｓ１２２でＹＥＳ）、音声認証（Ｓ１２３でＹＥＳ）、および顔貌認証（Ｓ１２４でＹＥＳ）のいずれかが行われた場合、記憶部１１２の管理テーブルから通信中の診療装置１０に対応する第２機能の設定データおよび更新データを抽出する（Ｓ１２５）。そして、通信装置１００は、抽出した設定データおよび更新データを通信中の診療装置１０に送信し（Ｓ１２６）、本ルーチンを終了する。なお、通信装置１００は、通信中の診療装置１０に対応する第２機能の設定データおよび更新データが予め記憶されていない場合にはＳ１２５およびＳ１２６の処理をスキップして本ルーチンを終了する。
【０１３３】
[設定処理（通信装置側）]
図１０は、通信装置１００が実行する設定処理を説明するためのフローチャートである。なお、図１０に示す設定処理は、通信装置１００が備える制御部１１１が所定周期で実行する処理である。
【０１３４】
図１０に示すように、通信装置１００は、有線通信または無線通信によって診療装置１０と通信状態であるか否かを判定する（Ｓ１３１）。通信装置１００は、診療装置１０と通信状態でない場合（Ｓ１３１でＮＯ）、第１機能および第２機能のいずれについても設定画像を非表示にする（Ｓ１３２）。この場合、通信装置１００のタッチディスプレイ１１５には、第１機能および第２機能のいずれについても設定画像が表示されないため、ユーザは診療装置１０の機能について設定することができない。なお、Ｓ１３２の処理では、診療装置１０が有する第１機能および第２機能の設定画像が表示されないものであればよく、それ以外の画像は表示されてもよい。その後、通信装置１００は、本ルーチンを終了する。
【０１３５】
一方、通信装置１００は、診療装置１０と通信状態である場合（Ｓ１３１でＹＥＳ）、データ抽出処理において設定データを抽出済みであるか否かを判定する（Ｓ１３３）。通信装置１００は、設定データを抽出済みでない場合（Ｓ１３３でＮＯ）、初期状態で第２機能の設定画像を表示する一方で、第１機能の設定画像を非表示にする（Ｓ１３４）。この場合、通信装置１００のタッチディスプレイ１１５には、初期設定で第２機能の設定画像のみが表示されるため、ユーザは第２機能についてのみ設定することができ、第１機能については設定することができない。その後、通信装置１００は、本ルーチンを終了する。
【０１３６】
一方、通信装置１００は、設定データを抽出済みである場合（Ｓ１３３でＹＥＳ）、設定データに基づいて第２機能の設定画像を表示する一方で、第１機能の設定画像を非表示にする（Ｓ１３５）。この場合、通信装置１００のタッチディスプレイ１１５には、ユーザによって予め記憶された設定内容に基づいて第２機能の設定画像のみが表示される。その後、通信装置１００は、本ルーチンを終了する。
【０１３７】
[設定処理（診療装置側）]
図１１は、診療装置１０が実行する設定処理を説明するためのフローチャートである。なお、図１１に示す設定処理は、診療装置１０が備える制御部１３が所定周期で実行する処理である。
【０１３８】
図１１に示すように、診療装置１０は、有線通信または無線通信によって通信装置１００と通信状態であるか否かを判定する（Ｓ１５１）。診療装置１０は、通信装置１００と通信状態でない場合（Ｓ１５１でＮＯ）、操作パネル８において第１アイコンおよび第２アイコンを点灯する（Ｓ１５２）。この場合、操作パネル８には、第１アイコンおよび第２アイコンのいずれについても点灯するため、ユーザは第１機能および第２機能のいずれについても設定することができる。その後、診療装置１０は、本ルーチンを終了する。
【０１３９】
一方、診療装置１０は、通信装置１００と通信状態である場合（Ｓ１５１でＹＥＳ）、通信装置１００から設定データを受信したか否かを判定する（Ｓ１５３）。診療装置１０は、通信装置１００から設定データを受信している場合（Ｓ１５３でＹＥＳ）、設定データに基づいて第２機能を設定する（Ｓ１５４）。これにより、通信装置１００において設定された内容に基づき第２機能が自動設定される。
【０１４０】
診療装置１０は、設定データを受信していない場合（Ｓ１５３でＮＯ）、またはＳ１５４の処理の後、通信装置１００から更新データを受信したか否かを判定する（Ｓ１５５）。診療装置１０は、通信装置１００から更新データを受信している場合（Ｓ１５５でＹＥＳ）、更新データに基づいてプログラムおよびデータの少なくとも一方を更新する（Ｓ１５６）。これにより、通信装置１００において記憶された更新データに基づきプログラムおよびデータの少なくとも一方が自動更新される。
【０１４１】
診療装置１０は、更新データを受信していない場合（Ｓ１５５でＮＯ）、またはＳ１５６の処理の後、第１アイコンを点灯する一方で、第２アイコンを消灯する（Ｓ１５７）。この場合、操作パネル８には、第１アイコンのみが点灯されるため、ユーザは第１機能についてのみ設定することができ、第２機能については設定することができない。その後、診療装置１０は、本ルーチンを終了する。
【０１４２】
以上のように、本実施の形態においては、通信装置１００を用いることによって診療装置１０の機能について詳細に設定できるようにする一方で、診療装置１０の特定機能（本実施の形態においては、第１機能）については通信装置１００による設定が規制される。このため、診療装置１０のコストに極力影響を与えることなく診療装置１０の機能を詳細に設定できるようにする一方で、通信装置１００の誤操作によって円滑な診療行為を直接的に妨げてしまうことを防止することができる。
【０１４３】
診療装置１０の位置および姿勢の少なくとも一方を変えるヘッドレスト１ａ、背もたれ１ｂ、座面シート１ｃ、および足置き台１ｄを駆動させるためのシート駆動部１１の機能については通信装置１００による設定が規制される。このため、通信装置１００の誤操作によって診療装置１０の位置および姿勢が意図しない態様で変えられてしまうことを防止することができる。
【０１４４】
診療装置１０と通信装置１００とが通信状態でない場合、第１機能および第２機能のいずれの設定権限も診療装置１０側のみにあるのに対して、診療装置１０と通信装置１００とが通信状態である場合、第１機能の設定権限が診療装置１０側のみにあり、第２機能の設定権限が通信装置１００側のみにある。このため、通信装置１００の誤操作によって第１機能に不具合が生じてしまうことを防止することができるとともに、第２機能については通信装置１００によって詳細に設定することができる。
【０１４５】
診療装置１０と通信装置１００とが通信状態である場合、診療装置１０の操作パネル８においては、第１アイコンを点灯する一方で、第２アイコンを消灯する。そして、通信装置１００のタッチディスプレイ１１５においては、第２機能の設定画像を表示する一方で、第１機能の設定画像を非表示にする。これにより、診療装置１０と通信装置１００とが通信状態において、第１機能については診療装置１０側で設定が可能である一方で通信装置１００側で設定が規制されていることを、視覚を通じてユーザに認識させることができる。
【０１４６】
通信装置１００は、複数の診療装置１０のうち、最も接近している診療装置１０と通信状態になる。これにより、設定対象の診療装置１０に通信装置１００を近づけるだけで当該診療装置１０と通信装置１００とを通信状態にすることができる。
【０１４７】
診療装置１０と通信装置１００とが通信状態において、通信装置１００の記憶部１１２に記憶された設定データに基づき診療装置１０において第２機能が設定される。これにより、通信装置１００の記憶部１１２に第２機能を予め設定しておけば、診療装置１０と通信装置１００とが通信状態であるときに診療装置１０において第２機能を自動で設定させることができる。
【０１４８】
診療装置１０と通信装置１００とが通信状態において、音声認証されたユーザに対応する設定データに基づき診療装置１０において第２機能が設定される。これにより、音声認証されたユーザに対応する設定データに基づき診療装置１０において第２機能を自動で設定させることができる。
【０１４９】
診療装置１０と通信装置１００とが通信状態において、顔貌認証されたユーザに対応する設定データに基づき診療装置１０において第２機能が設定される。これにより、顔貌認証されたユーザに対応する設定データに基づき診療装置１０において第２機能を自動で設定させることができる。
【０１５０】
診療装置１０の装着部４５に通信装置１００が装着されたときに、診療装置１０と通信装置１００とが通信線を介して通信状態になる。これにより、診療に使用する診療装置１０と、通信装置１００を用いた設定対象の診療装置１０とが異なるといった不都合を防止することができる。
【０１５１】
診療装置１０と通信装置１００とが通信状態において、通信装置１００の記憶部１１２に記憶された更新データに基づき、診療装置１０のプログラムおよびデータの少なくとも一方が更新される。このため、通信装置１００を用いて診療装置１０のプログラムおよびデータの少なくとも一方を自動で更新させることができる。
【０１５２】
［変形例］
本発明は、上記の実施例に限られず、さらに種々の変形、応用が可能である。以下、本発明に適用可能な変形例について説明する。
【０１５３】
[規制対象の特定機能について]
本実施の形態においては、通信装置１００による設定が規制される特定機能として、設定内容によっては円滑な診療行為を直接的に妨げる虞がある、チェアオート機能、チェアマニュアル機能、チェア速度機能、および照明機能といった第１機能を適用した。しかし、これに限らず、特定機能として第２機能を適用し、第２機能であっても通信装置１００による設定が規制されてもよい。また、第１機能に属する機能のうちのいずれかを特定機能から除外してもよい。たとえば、第１機能のうちの照明機能だけは、円滑な診療行為を直接的に妨げる虞が少ないとみなして、特定機能から除外してもよい。
【０１５４】
また、通信装置１００による設定が規制される特定機能を、複数の機能の中からユーザが選択できるものであってもよい。さらに、ユーザは、診療装置１０ごとに通信装置１００による設定の規制対象となる特定機能を選択できるものであってもよい。なお、円滑な診療行為を直接的に妨げないことを目的とするならば、少なくとも第１機能については通信装置１００による設定が規制される方が好ましい。
【０１５５】
[規制方法について]
本実施の形態においては、通信装置１００に第１機能を設定するためのプログラムおよびデータを記憶しておらず、その結果、タッチディスプレイ１１５に第１機能についての設定画像が一切表示されず、タッチディスプレイ１１５によっては第１機能の設定操作ができないようにされていた。しかし、これに限らず、タッチディスプレイ１１５に第１機能についての設定画像を表示するとともに、タッチディスプレイ１１５によって第１機能を設定するための操作自体はできるものであってもよい。この場合、第１機能の設定操作に対応する操作データは、診療装置１０に送信されないようにして第２機能の設定を規制すればよい。また、第１機能の設定操作に対応する操作データが診療装置１０に送信されるものであっても、図１２に示す診療装置１０の操作時設定処理のように、第１機能の設定操作に対応する操作データに基づいては診療装置１０において第１機能が設定されないようにしてもよい。
【０１５６】
図１２は、変形例における診療装置１０が実行する操作時設定処理を説明するためのフローチャートである。なお、図１２に示す操作時設定処理は、診療装置１０が備える制御部１３が所定周期で実行する処理である。
【０１５７】
図１２に示すように、診療装置１０は、有線通信または無線通信によって通信装置１００と通信状態であるか否かを判定する（Ｓ２１１）。診療装置１０は、通信装置１００と通信状態でない場合（Ｓ２１１でＮＯ）、本ルーチンを終了する。
【０１５８】
一方、診療装置１０は、通信装置１００と通信状態である場合（Ｓ２１１でＹＥＳ）、診療装置１０は、通信装置１００から操作データを受信したか否かを判定する（Ｓ２１２）。診療装置１０は、通信装置１００から操作データを受信していない場合（Ｓ２１２でＮＯ）、本ルーチンを終了する。
【０１５９】
一方、診療装置１０は、通信装置１００から操作データを受信している場合（Ｓ２１２でＹＥＳ）、操作データが第１機能の設定操作に基づくデータであるか否かを判定する（Ｓ２１３）。診療装置１０は、第１機能の設定操作がされなかった、つまり第２機能の設定操作がされた場合（Ｓ２１３でＮＯ）、操作データに基づいて第２機能を設定し（Ｓ２１４）、本ルーチンを終了する。
【０１６０】
一方、診療装置１０は、第１機能の設定操作がされた場合（Ｓ２１３でＹＥＳ）、第１機能を設定することなくユーザに警告音を報知し（Ｓ２１５）、本ルーチンを終了する。これにより、通信装置１００によって第１機能を設定する操作自体はできるものであっても、診療装置１０において第１機能の設定が規制される。なお、診療装置１０において、操作パネル８を用いて複数の機能について設定可能とする処理は、「操作ステップ」の一実施形態に対応する。また、診療装置１０において、通信装置１００と通信する処理は、「通信ステップ」の一実施形態に対応する。また、診療装置１０において、図１２の操作時設定処理におけるＳ２１５の処理は、「規制ステップ」の一実施形態に対応する。
【０１６１】
このように、診療装置１０の操作時設定処理によれば、通信装置１００を用いることによって診療装置１０の機能について詳細に設定できるようにする一方で、診療装置１０の第１機能については通信装置１００による設定が規制される。このため、診療装置１０のコストに極力影響を与えることなく診療装置１０の機能を詳細に設定できるようにする一方で、通信装置１００の誤操作によって円滑な診療行為を直接的に妨げてしまうことを防止することができる。
【０１６２】
本実施の形態においては、診療装置１０と通信装置１００とが通信状態である場合、診療装置１０の操作パネル８においては、第１アイコンを点灯する一方で、第２アイコンを消灯するものであった。しかし、このように、完全に第２アイコンをユーザの視界から消すものに限らず、第２アイコンを第１アイコンよりも見え辛くするなど、第２アイコンの視認性を第１アイコンの視認性よりも低下させるものであってもよい。また、診療装置１０と通信装置１００とが通信状態である場合、通信装置１００のタッチディスプレイ１１５においては、第２機能の設定画像を表示する一方で、第１機能の設定画像を非表示にするものであった。しかし、このように、完全に第１機能の設定画像をユーザの視界から消すものに限らず、第１機能の設定画像を第２機能の設定画像よりも見え辛くするなど、第１機能の設定画像の視認性を第２機能の設定画像の視認性よりも低下させるものであってもよい。
【０１６３】
[通信装置の管理テーブルについて]
本実施の形態においては、通信装置１００の管理テーブルに第１機能の設定データが記憶されないが、これに限らず、管理テーブルに第１機能の設定データを記憶してもよい。たとえば、診療中に用いていた第１機能の設定データ（たとえば、診療椅子１の位置および姿勢の設定データ）を診療装置１０から通信装置１００に送信し、通信装置１００において第１機能の設定データを記憶してもよい。さらに、次回、通信装置１００が診療装置１０と通信したときには、記憶していた第１機能の設定データが通信装置１００から診療装置１０に送信されることにより、診療装置１０において自動で第１機能が設定されてもよい。ただし、この場合であっても、通信装置１００のタッチディスプレイ１１５を操作することによっては第１機能の設定が規制されている方が好ましい。
【０１６４】
本実施の形態においては、通信装置１００の記憶部１１２に第２機能の設定データおよび更新データが記憶されていたが、別に設けられた外部サーバに第２機能の設定データおよび更新データが記憶されてもよい。この場合、通信装置１００が診療装置１０に通信したときには、外部サーバから診療装置１０に対して第２機能の設定データおよび更新データが送信されてもよい。
【０１６５】
[通信装置による自動設定について]
本実施の形態においては、ＩＤおよびパスワードの認証、音声認証、および顔貌認証のいずれかが行われたときに、通信装置１００から設定データおよび更新データが診療装置１０に送信されて、診療装置１０において第２機能の設定およびプログラムなどの更新が自動で行われるものであった。しかし、ＩＤおよびパスワードの認証、音声認証、および顔貌認証に限らず、指紋認証などその他の認証処理が行われてもよいし、いずれかの認証処理のみが行われてもよい。また、全ての認証が完了しないと自動設定が行われないものであってもよい。
【０１６６】
また、自動設定においては、通信装置１００から設定データおよび更新データが診療装置１０に送信されたが、診療装置１０においても予め設定データおよび更新データが記憶されていてもよい。この場合、認証処理が行われたときには、通信装置１００から第２機能の設定およびプログラムなどの更新を行わせる命令信号を診療装置１０に送信し、診療装置１０は命令信号に基づき記憶していた設定データおよび更新データに基づき自動設定すればよい。
【０１６７】
本実施の形態においては、通信装置１００が診療装置１０と通信状態になったときに自動で第２機能の設定およびプログラムなどの更新が行われたが、通信装置１００が診療装置１０と通信状態になったときに、第２機能の設定およびプログラムなどの更新を自動で行うか、あるいは第２機能の設定およびプログラムなどの更新を手動で行うかをユーザが選択するようにしてもよい。あるいは、ユーザが前もって自動設定または手動設定を選択しておけるものであってもよい。
【０１６８】
本実施の形態においては、通信装置１００が複数の診療装置１０と無線通信可能になった場合、最も接近した診療装置１０と優先的に通信開始したが、通信開始する診療装置１０をユーザが選択できるものであってもよい。また、この場合、ユーザによって選択された診療装置１０が他の通信装置１００と通信しているときには、警告音を報知したり、当該診療装置１０との通信を中止したりしてもよい。
【０１６９】
[通信装置について]
本実施の形態においては、通信装置１００はタブレット型の携帯端末であったが、その他の通信装置であってもよい。たとえば、通信装置１００は、デスクトップ型のパーソナルコンピュータであってもよい。具体的には、診療装置１０に対して専用のタッチパネル式液晶ディスプレイを付属品として接続することができ、その液晶ディスプレイを用いて診療装置１０の機能を詳細に設定できるものであってもよい。この場合、本実施の形態の通信装置１００は、付属品の液晶ディスプレイに置き換わる。
【０１７０】
なお、診療中の衛生状態を保つため、通信装置１００には透明なカバーをかぶせてもよい。
【０１７１】
[プログラムまたはデータの更新について]
本実施の形態においては、診療装置１０と通信装置１００との通信によって、診療装置１０のプログラムおよびデータの少なくとも一方を更新させる構成であったが、プログラムの更新については禁止される一方で、データの更新については許容される構成であってもよい。
【０１７２】
なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０１７３】
１  診療椅子、８  操作パネル、１０  医療用診療装置、１３  制御部、４１  無線通信部、４３  有線通信部、４５  装着部、１００  通信装置、１１１  制御部、１１２  記憶部、１１３  カメラ、１１４  マイクロフォン、１１５  タッチディスプレイ、１１６  無線通信部、１１７  有線通信部、１０００  医療用診療システム。
【要約】
【課題】医療用診療装置と通信可能な通信装置を用いて詳細設定を可能にするとともに、通信装置の誤操作によって特定機能に不具合が生じてしまうことを防止する。
【解決手段】診療装置１０と通信装置１００とが通信状態である場合、ユーザは、通信装置１００を用いることによって診療装置１０の機能について詳細に設定することが可能である。その一方で、設定内容によっては円滑な診療行為を直接的に妨げる虞がある第１機能については、通信装置１００による設定が規制されるため、通信装置１００の誤操作によって第１機能に不具合が生じてしまうことを防止することができる。
【選択図】図６【図１】
0006043420.tif 000002
【図２】
0006043420.tif 000003
【図３】
0006043420.tif 000004
【図４】
0006043420.tif 000005
【図５】
0006043420.tif 000006
【図６】
0006043420.tif 000007
【図７】
0006043420.tif 000008
【図８】
0006043420.tif 000009
【図９】
0006043420.tif 000010
【図１０】
0006043420.tif 000011
【図１１】
0006043420.tif 000012
【図１２】
0006043420.tif 000013